(57)【要約】【課題】高気圧酸素治療及び高濃度炭酸治療に併用可能な高気圧外傷治療装置を提供する。【解決手段】一端側が高圧酸素ガス源２に接続され、高圧酸素ガス源２からの酸素ガスを供給する酸素ガス供給配管Ｌ１と、一端側が高圧炭酸ガス源３に接続され、高圧炭酸ガス源３からの炭酸ガスを供給する炭酸ガス供給配管Ｌ２と、一端側が酸素ガス供給配管Ｌ１の他端側及び炭酸ガス供給配管Ｌ２の他端側とそれぞれ接続されるとともに、他端側が治療ガス供給部４に接続され、酸素ガス供給配管Ｌ１又は炭酸ガス供給配管Ｌ２から供給されるガスを治療ガス供給部４に供給する治療ガス供給配管Ｌ３と、治療ガス供給部４に供給するガスを選択する切替手段とを有する、高気圧外傷治療装置１を選択する。【選択図】図１
2017055794.tif 000002
【特許請求の範囲】
【請求項１】
一端側が高圧酸素ガス源に接続され、前記高圧酸素ガス源からの酸素ガスを供給する酸素ガス供給配管と、
一端側が高圧炭酸ガス源に接続され、前記高圧炭酸ガス源からの炭酸ガスを供給する炭酸ガス供給配管と、
一端側が、前記酸素ガス供給配管の他端側及び前記炭酸ガス供給配管の他端側とそれぞれ接続されるとともに、他端側が治療ガス供給部に接続され、前記酸素ガス供給配管又は前記炭酸ガス供給配管から供給されるガスを前記治療ガス供給部に供給する治療ガス供給配管と、
前記治療ガス供給部に供給するガスを選択する切替手段と、を有する、高気圧外傷治療装置。
【請求項２】
前記酸素ガス供給配管、前記炭酸ガス供給配管、及び前記治療ガス供給配管のうち、少なくとも１つの配管を分岐して設けられた排気用配管をさらに有する、請求項１に記載の高気圧外傷治療装置。
【請求項３】
当該装置の外部雰囲気中の酸素及び炭酸のうち、少なくともいずれか一方の濃度を検知する検知手段をさらに有する、請求項１又は２に記載の高気圧外傷治療装置。
【請求項４】
前記酸素ガス供給配管及び前記炭酸ガス供給配管の少なくとも一方に、当該装置の外部に設けられた供給源から他のガスを供給する供給配管をさらに有する、請求項１乃至３のいずれか一項に記載の高気圧外傷治療装置。
【請求項５】
前記切替手段を制御する制御装置をさらに有する、請求項１乃至４のいずれか一項に記載の高気圧外傷治療装置。
【発明の詳細な説明】
【技術分野】
【０００１】
本発明は、高気圧外傷治療装置に関する。
【背景技術】
【０００２】
高圧のガスを使用して、皮膚や粘膜等の外傷・損傷を治療する方法として、高気圧酸素治療や高濃度炭酸治療が知られている。
【０００３】
高気圧酸素治療は、高圧の酸素ガスを使用して、外傷、火傷、褥瘡等の皮膚損傷を治療する治療法である。例えば、特許文献１には、高気圧酸素治療を行うための高気圧酸素治療装置が開示されている。
【０００４】
高気圧酸素治療装置により、血液中に溶解する酸素（溶解型酸素）の量を増加することができる。そのため、組織内の酸素輸送や酸素拡散が増加し、組織を酸素化することができる。その結果、虚血・低酸素状態に陥った組織の酸素状態を改善することができる。さらに、組織の酸素状態を改善することで、創傷治癒促進効果・組織再生促進（組織の酸素化）、周囲組織の酸素化・線維芽細胞の増生（血管新生）等の副次的な効果を得ることができる。また、大気中の細菌が患部に近づくことを防止することができ、感染症リスクを減らすことができる。
【０００５】
一方、高濃度炭酸治療は、高濃度の炭酸ガスを使用して、外傷を治療する治療法である。例えば、特許文献２には、高濃度炭酸治療を行うための高濃度炭酸治療装置が開示されている。
【０００６】
高濃度炭酸治療により、炭酸ガスを経皮から吸収させることで、筋力の回復・増強の効果、血管拡張作用による外傷治療効果を得ることができる。また、高気圧酸素治療と同様に、感染症リスクを減らすことができる。
【０００７】
ところで、患者の症状によっては、高圧の酸素ガスによる虚血・低酸素状態の改善による外傷治療効果と、高濃度の炭酸ガスによる治療効果を併用して治療したい場合がある。すなわち、高気圧酸素治療及び高濃度炭酸治療の両方を行いたい場合がある。
【先行技術文献】
【特許文献】
【０００８】
【特許文献１】特開２０１３−２３０３８５号公報
【特許文献２】特開２００７−１８１７２０号公報
【発明の概要】
【発明が解決しようとする課題】
【０００９】
しかしながら、高気圧酸素治療及び高濃度炭酸治療の両方を行う場合、高気圧酸素治療装置及び高濃度炭酸治療装置の両方を用意する必要がある。そのため、装置の設置場所の確保が困難であるといった問題や、装置を準備する費用が高額になるといった問題があった。
【００１０】
本発明は、上記事情に鑑みてなされたものであって、高気圧酸素治療及び高濃度炭酸治療に併用可能な高気圧外傷治療装置を提供することを課題とする。
【課題を解決するための手段】
【００１１】
上記課題を解決するため、請求項１に係る発明は、
一端側が高圧酸素ガス源に接続され、前記高圧酸素ガス源からの酸素ガスを供給する酸素ガス供給配管と、
一端側が高圧炭酸ガス源に接続され、前記高圧炭酸ガス源からの炭酸ガスを供給する炭酸ガス供給配管と、
一端側が、前記酸素ガス供給配管の他端側及び前記炭酸ガス供給配管の他端側とそれぞれ接続されるとともに、他端側が治療ガス供給部に接続され、前記酸素ガス供給配管又は前記炭酸ガス供給配管から供給されるガスを前記治療ガス供給部に供給する治療ガス供給配管と、
前記治療ガス供給部に供給するガスを選択する切替手段と、を有する、高気圧外傷治療装置である。
【００１２】
また、請求項２に係る発明は、
前記酸素ガス供給配管、前記炭酸ガス供給配管、及び前記治療ガス供給配管のうち、少なくとも１つの配管を分岐して設けられた排気用配管をさらに有する、請求項１に記載の高気圧外傷治療装置である。
【００１３】
また、請求項３に係る発明は、
当該装置の外部雰囲気中の酸素及び炭酸のうち、少なくともいずれか一方の濃度を検知する検知手段をさらに有する、請求項１又は２に記載の高気圧外傷治療装置である。
【００１４】
また、請求項４に係る発明は、
前記酸素ガス供給配管及び前記炭酸ガス供給配管の少なくとも一方に、当該装置の外部に設けられた供給源から他のガスを供給する供給配管をさらに有する、請求項１乃至３のいずれか一項に記載の高気圧外傷治療装置である。
【００１５】
また、請求項５に係る発明は、
前記切替手段を制御する制御装置をさらに有する、請求項１乃至４のいずれか一項に記載の高気圧外傷治療装置である。
【発明の効果】
【００１６】
本発明の高気圧外傷治療装置は、一端側が高圧酸素ガス源に接続され、高圧酸素ガス源からの酸素ガスを供給する酸素ガス供給配管と、一端側が高圧炭酸ガス源に接続され、高圧炭酸ガス源からの炭酸ガスを供給する炭酸ガス供給配管と、一端側が酸素ガス供給配管の他端側及び炭酸ガス供給配管の他端側とそれぞれ接続されるとともに、他端側が治療ガス供給部に接続され、酸素ガス供給配管又は炭酸ガス供給配管から供給されるガスを治療ガス供給部に供給する治療ガス供給配管と、治療ガス供給部に供給するガスを選択する切替手段とを有するため、高気圧酸素治療及び高濃度炭酸治療に併用することができる。
【図面の簡単な説明】
【００１７】
【図１】本発明を適用した一実施形態である高気圧外傷治療装置の構成を示す系統図である。
【発明を実施するための形態】
【００１８】
以下、本発明を適用した一実施形態である高気圧外傷治療装置について詳細に説明する。なお、以下の説明で用いる図面は、特徴をわかりやすくするために、便宜上特徴となる部分を拡大して示している場合があり、各構成要素の寸法比率などが実際と同じであるとは限らない。
【００１９】
＜高気圧外傷治療装置＞
先ず、本発明を適用した一実施形態である高気圧外傷治療装置の構成について説明する。図１は、本発明を適用した一実施形態である高気圧外傷治療装置１の構成を示す系統図である。図１に示すように、本実施形態の高気圧外傷治療装置１は、高圧酸素ガス源２と、高圧炭酸ガス源３と、酸素ガス供給配管Ｌ１と、炭酸ガス供給配管Ｌ２と、治療ガス供給配管Ｌ３と、治療ガス供給ホースＬ４と、治療ガス供給部４と、パージ配管（排気用配管）Ｌ５と、減圧ラインＬ６と、筐体５と、制御装置６と、を有し概略構成されている。
【００２０】
本実施形態の高気圧外傷治療装置１では、高圧酸素ガス源２と、高圧炭酸ガス源３と、酸素ガス供給配管Ｌ１と、炭酸ガス供給配管Ｌ２と、治療ガス供給配管Ｌ３と、パージ配管Ｌ５の一部と、制御装置６と、が筐体５の内部に設けられている。
【００２１】
本実施形態の高気圧外傷治療装置１は、高気圧酸素治療及び高濃度炭酸治療を併用するための治療用装置である。
【００２２】
高圧酸素ガス源２は、酸素ガス供給配管Ｌ１の一端側に接続されている。これにより、高圧酸素ガス源２から酸素ガス供給配管Ｌ１内に酸素ガスを供給することができる。
高圧酸素ガス源２としては、具体的には、例えば、ＦＲＰ（Ｆｉｂｅｒ  Ｒｅｉｎｆｏｒｃｅｄ  Ｐｌａｓｔｉｃｓ）製、鋼製、アルミ製等の公知の材質の容器に充填された圧縮酸素ガスを用いることができる。
【００２３】
また、高圧酸素ガス源２に用いられる容器の内容積としては、特に限定されないが、例えば、１００ｍＬ〜１０００ｍＬ、好ましくは３００ｍＬ〜７００ｍＬの小型容器等を用いることができる。１００ｍＬ〜１０００ｍＬ、好ましくは３００ｍＬ〜７００ｍＬの小型容器を用いることにより、装置全体を小型化することができる。
【００２４】
高圧炭酸ガス源３は、炭酸ガス供給配管Ｌ２の一端側に接続されている。これにより、高圧炭酸ガス源３から炭酸ガス供給配管Ｌ２内に炭酸ガスを供給することができる。
高圧炭酸ガス源３としては、具体的には、例えば、ＦＲＰ製、鋼製、アルミ製等の公知の材質の容器に充填された圧縮炭酸ガスを用いることができる。
【００２５】
また、高圧炭酸ガス源３に用いられる容器の内容積としては、特に限定されないが、例えば、１００ｍＬ〜１０００ｍＬ、好ましくは３００ｍＬ〜７００ｍＬの小型容器等を用いることができる。１００ｍＬ〜１０００ｍＬ、好ましくは３００ｍＬ〜７００ｍＬの小型容器を用いることにより、装置全体を小型化することができる。
【００２６】
酸素ガス供給配管Ｌ１は、一端側が高圧酸素ガス源２と接続されている。酸素ガス供給配管Ｌ１の内部には、高圧酸素ガス源２から供給された酸素ガスが流通している。また、酸素ガス供給配管Ｌ１は、他端側が例えば三方弁等を介して炭酸ガス供給配管Ｌ２及び治療ガス供給配管Ｌ３と接続されている。これにより、酸素ガス供給配管Ｌ１を介して、酸素ガスを治療ガス供給配管Ｌ３に供給することができる。
【００２７】
酸素ガス供給配管Ｌ１には、酸素用圧力センサ７が設けられている。酸素用圧力センサ７により、酸素ガス供給配管Ｌ１の内部のガスの圧力を測定することができる。
酸素用圧力センサ７は、信号線Ｃ１を介して制御装置６と電気的に接続されている。酸素用圧力センサ７により測定された圧力値は、信号線Ｃ１を介して制御装置６へ送信される。
【００２８】
酸素ガス供給配管Ｌ１には、酸素用圧力センサ７の二次側に酸素用流量計８が設けられている。酸素用流量計８により、酸素ガス供給配管Ｌ１の内部のガスの流量を測定することができる。
酸素用流量計８は、信号線Ｃ２を介して制御装置６と電気的に接続されている。酸素用流量計８により測定された流量値は、信号線Ｃ２を介して制御装置６へ送信される。
【００２９】
酸素ガス供給配管Ｌ１には、酸素用流量計８の二次側に酸素用滅菌フィルタ９が設けられている。酸素用滅菌フィルタ９により、酸素ガス供給配管Ｌ１の内部を流通する酸素ガスを滅菌することができる。
【００３０】
酸素ガス供給配管Ｌ１には、酸素用滅菌フィルタ９の二次側に酸素供給バルブ１０が設けられている。酸素供給バルブ１０の開閉を制御することにより、酸素ガス供給配管Ｌ１から治療ガス供給配管Ｌ３への酸素ガスの供給を制御することができる。
酸素供給バルブ１０は、信号線Ｃ３を介して制御装置６と電気的に接続されている。制御装置６により、信号線Ｃ３を介して酸素供給バルブ１０の開閉を制御することができる。
【００３１】
炭酸ガス供給配管Ｌ２は、一端側が高圧炭酸ガス源３と接続されている。炭酸ガス供給配管Ｌ２の内部には、高圧炭酸ガス源３から供給された炭酸ガスが流通している。また、炭酸ガス供給配管Ｌ２は、他端側が例えば三方弁等を介して酸素ガス供給配管Ｌ１及び治療ガス供給配管Ｌ３と接続されている。これにより、炭酸ガス供給配管Ｌ２を介して、炭酸ガスを治療ガス供給配管Ｌ３に供給することができる。
【００３２】
炭酸ガス供給配管Ｌ２には、炭酸用圧力センサ１１が設けられている。炭酸用圧力センサ１１により、炭酸ガス供給配管Ｌ２の内部のガスの圧力を測定することができる。
炭酸用圧力センサ１１は、信号線Ｃ４を介して制御装置６と電気的に接続されている。炭酸用圧力センサ１１により測定された圧力値は、信号線Ｃ４を介して制御装置６へ送信される。
【００３３】
炭酸ガス供給配管Ｌ２には、炭酸用圧力センサ１１の二次側に炭酸用流量計１２が設けられている。炭酸用流量計１２により、炭酸ガス供給配管Ｌ２の内部のガスの流量を測定することができる。
炭酸用流量計１２は、信号線Ｃ５を介して制御装置６と電気的に接続されている。炭酸用流量計１２により測定された流量値は、信号線Ｃ５を介して制御装置６へ送信される。
【００３４】
炭酸ガス供給配管Ｌ２には、炭酸用流量計１２の二次側に炭酸用滅菌フィルタ１３が設けられている。炭酸用滅菌フィルタ１３により、炭酸ガス供給配管Ｌ２の内部を流通する炭酸ガスを滅菌することができる。
【００３５】
炭酸ガス供給配管Ｌ２には、炭酸用滅菌フィルタ１３の二次側に炭酸供給バルブ１４が設けられている。炭酸供給バルブ１４の開閉を制御することにより、炭酸ガス供給配管Ｌ２から治療ガス供給配管Ｌ３への炭酸ガスの供給を制御することができる。
炭酸供給バルブ１４は、信号線Ｃ６を介して制御装置６と電気的に接続されている。制御装置６により、信号線Ｃ６を介して炭酸供給バルブ１４の開閉を制御することができる。
【００３６】
本実施形態の高気圧外傷治療装置１では、上述した酸素供給バルブ１０及び炭酸供給バルブ１４を切替手段として用いることで、治療ガス供給配管Ｌ３に供給されるガスとして、酸素ガス供給配管Ｌ１から供給される酸素ガス、又は炭酸ガス供給配管Ｌ２から供給される炭酸ガスを選択することができる。これにより、治療ガス供給部４に供給するガスとして、酸素ガス又は炭酸ガスを選択することができるため、高気圧外傷治療装置１によって高気圧酸素治療及び高濃度炭酸治療を行うことができる。
【００３７】
治療ガス供給配管Ｌ３は、一端側が酸素ガス供給配管Ｌ１及び炭酸ガス供給配管Ｌ２と接続され、他端側が筐体５に設けられている継手１５を介して治療ガス供給ホースＬ４と接続されている。したがって、酸素供給バルブ１０及び炭酸供給バルブ１４の開閉を制御することにより、治療ガス供給配管Ｌ３を介して、酸素ガス供給配管Ｌ１から供給される酸素ガス、又は炭酸ガス供給配管Ｌ２から供給される炭酸ガスを選択して治療ガス供給ホースＬ４に供給することができる。
【００３８】
治療ガス供給配管Ｌ３には、治療ガス供給バルブ１６が設けられている。治療ガス供給バルブ１６の開閉度を制御することにより、治療ガス供給配管Ｌ３から治療ガス供給ホースＬ４への酸素ガス又は炭酸ガスの供給量を制御することができる。
治療ガス供給バルブ１６は、信号線Ｃ７を介して制御装置６と電気的に接続されている。制御装置６により、信号線Ｃ７を介して治療ガス供給バルブ１６の開閉度を制御することができる。
【００３９】
治療ガス供給ホースＬ４は、一端側が継手１５を介して治療ガス供給配管Ｌ３と接続され、他端側が治療ガス供給部４と接続されている。治療ガス供給ホースＬ４により、治療ガス供給配管Ｌ３から供給される酸素ガス又は炭酸ガスを、治療ガス供給部４に供給することができる。
【００４０】
治療ガス供給部４は、治療ガス供給ホースＬ４と接続されている。治療ガス供給部４により、治療ガス供給ホースＬ４から供給される酸素ガス又は炭酸ガスを、患者の患部に供給することができる。
【００４１】
治療ガス供給部４の形状としては、患部を含む表面を取り囲み、大気圧よりも高い圧力にできる形状であれば、特に限定されない。具体的には、例えば、患者の四肢に患部が存在する場合、手足を包み込むような直径１０〜１５ｃｍの円筒形の袋状のものを用いることが好ましい。また、この場合、材料としては、内部を目視できるように透明であり、防水性、耐圧性に優れた、ポリプロピレンフィルム、ポリエチレンフィルム等の樹脂フィルムが好ましい。治療ガス供給部４が袋状である場合、患部を袋で包んだ後、四肢ごと開口部を粘着テープ等で封止すれば高圧を保つことができる。
【００４２】
また、例えば、患部が褥瘡等の体幹部の場合、治療ガス供給部４の形状として、患部を覆える程度の大きさの開口をもつカップ状であってもよい。この場合、材料としては、樹脂や金属等の剛性のある材料を用いることが好ましい。なお、治療ガス供給部４は交換可能なものとしてもよい。すなわち、患部に応じた形状、材質の治療ガス供給部４を複数用意し、適宜選択して用いる態様としてもよい。
【００４３】
パージ配管Ｌ５は、一端側が治療ガス供給バルブ１６の一次側で治療ガス供給配管Ｌ３に接続されており、他端側がパージ用のポンプ（図示略）を接続可能に設けられている。パージ配管Ｌ５により、酸素ガス供給配管Ｌ１、炭酸ガス供給配管Ｌ２、及び治療ガス供給配管Ｌ３の内部のガスをパージすることができる。これにより、治療に用いるガス以外のガスが治療ガス供給部４を介して患部に供給されることを抑制することができる。
【００４４】
パージ配管Ｌ５には、パージバルブ１７が設けられている。パージバルブ１７の開閉を制御することにより、配管内のガスのパージを制御することができる。
パージバルブ１７は、信号線Ｃ８を介して制御装置６と電気的に接続されている。制御装置６により、信号線Ｃ８を介してパージバルブ１７の開閉を制御することができる。
【００４５】
減圧ラインＬ６は、一端側が治療ガス供給ホースＬ４に接続され、他端側が外部に開放されている。減圧ラインＬ６には、減圧弁１８が設けられている。減圧弁１８により、必要に応じて治療ガス供給部４の内部のガスを、減圧ラインＬ６を介して外部へ排気することで、治療ガス供給部４内の圧力を適切に調整することができる。これにより、治療ガス供給部４に供給されるガスの流量を適切に調整することができる。
減圧弁１８は、信号線Ｃ９を介して制御装置６と電気的に接続されている。制御装置６により、信号線Ｃ９を介して減圧弁１８の開閉を制御することができる。
【００４６】
筐体５の内部には高圧酸素ガス源２や高圧炭酸ガス源３等が設けられている。本実施形態の高気圧外傷治療装置１は、高圧酸素ガス源２や高圧炭酸ガス源３等を筐体５内に設けることにより、自由に携帯・移動可能となる。また、ガス源を別途用意する必要がないため、医療ガス配管等の設備の整った医療施設に限らず、例えば、一般家庭や介護施設等でも使用することができる。
【００４７】
筐体５の側面には、酸素濃度を検知する検知手段である酸素ガス検出器１９が、検出部分が筐体５の外側に位置するように設けられている。酸素ガス検出器１９により、筐体５の外側の酸素濃度を測定することができる。
酸素ガス検出器１９は、信号線Ｃ１０を介して制御装置６と電気的に接続されている。酸素ガス検出器１９で測定した酸素濃度の値は、信号線Ｃ１０を介して制御装置６へ送信される。
【００４８】
筐体５の側面には、炭酸濃度を検知する検知手段である炭酸ガス検出器２０が、検出部分が筐体５の外側に位置するように設けられている。炭酸ガス検出器２０により、筐体５の外側の炭酸濃度を測定することができる。
炭酸ガス検出器２０は、信号線Ｃ１１を介して制御装置６と電気的に接続されている。炭酸ガス検出器２０で測定した炭酸濃度の値は、信号線Ｃ１１を介して制御装置６へ送信される。
【００４９】
制御装置６は、信号線Ｃ１〜Ｃ１１を介して、酸素用圧力センサ７、酸素用流量計８、酸素供給バルブ１０、炭酸用圧力センサ１１、炭酸用流量計１２、炭酸供給バルブ１４、治療ガス供給バルブ１６、パージバルブ１７、減圧弁１８、酸素ガス検出器１９及び炭酸ガス検出器２０とそれぞれ電気的に接続されている。
【００５０】
制御装置６が、酸素供給バルブ１０、炭酸供給バルブ１４、治療ガス供給バルブ１６、パージバルブ１７の開閉状態を制御することで、酸素ガスと炭酸ガスの切り替えや、ガスの供給とパージをシーケンス制御等の方法で制御することができる。
【００５１】
制御装置６が、圧力センサ７，１１で測定される圧力値、及び流量計８，１２で測定される流量値に基づいて、減圧弁１８を制御することで、治療ガス供給部４に供給されるガスの流量を適切に調整することができる。
【００５２】
制御装置６が、圧力センサ７，１１で測定される圧力値、及び流量計８，１２で測定される流量値が設定範囲から外れたことを検知した場合、アラーム等を発するようにしてもよい。これにより、ガス漏れ、ボンベ交換時期、メンテナンス時期を使用者に知らせることができる。
【００５３】
制御装置６が、酸素ガス検出器１９で測定した酸素濃度、又は炭酸ガス検出器２０で測定した炭酸濃度が設定値を超えたこと検知した場合、酸素供給バルブ１０、炭酸供給バルブ１４、治療ガス供給バルブ１６を必要に応じて自動的に閉状態とすることで、装置周辺の環境が酸素欠乏状態又は酸素富化状態となることを防止することができる。
【００５４】
＜高気圧外傷治療装置の使用方法＞
次に、上述した高気圧外傷治療装置１の使用方法について、図１を参照して詳細に説明する。
ここでは、上述した高気圧外傷治療装置１を用いて高気圧酸素治療を行い、その後、高濃度炭酸治療に切り替える場合を一例として説明する。なお、使用前の高気圧外傷治療装置１では、酸素供給バルブ１０、炭酸供給バルブ１４、治療ガス供給バルブ１６、パージバルブ１７、減圧弁１８は、全て閉状態である。
【００５５】
高気圧酸素治療を始める場合、先ず、制御装置６がパージバルブ１７を開状態にすることにより、治療ガス供給配管Ｌ３内のガスをパージする。これにより、酸素ガス以外のガスが治療ガス供給部４へ供給されることを抑制することができる。十分にガスをパージした後、パージバルブ１７を閉状態に戻す。
【００５６】
次に、制御装置６が酸素供給バルブ１０、治療ガス供給バルブ１６を開状態にすることにより、高圧酸素ガス源２から治療ガス供給部４へ酸素ガスを供給する。酸素ガスの供給中、制御装置６が、酸素用圧力センサ７で測定される圧力値、及び酸素用流量計８で測定される流量値に基づいて減圧弁１８を制御することで、治療ガス供給部４に供給される酸素ガスの流量を適切に調整する。その結果、治療ガス供給部４の内部で患者の患部に酸素ガスを供給することで高気圧酸素治療を行うことができる。
【００５７】
高気圧酸素治療が終了したら、制御装置６が酸素供給バルブ１０、治療ガス供給バルブ１６を閉状態に戻すことにより、高圧酸素ガス源２から治療ガス供給部４への酸素ガスの供給を停止する。
【００５８】
次に、高気圧酸素治療から高濃度炭酸治療に切り替えるため、制御装置６がパージバルブ１７を開状態にすることにより、治療ガス供給配管Ｌ３内に残存する酸素ガス等をパージする。これにより、炭酸ガス以外のガスが治療ガス供給部４へ供給されることを抑制することができる。十分にガスをパージした後、パージバルブ１７を閉状態に戻す。
【００５９】
次に、制御装置６が炭酸供給バルブ１４、治療ガス供給バルブ１６を開状態にすることにより、高圧炭酸ガス源３から治療ガス供給部４へ炭酸ガスを供給する。炭酸ガスの供給中、制御装置６が、炭酸用圧力センサ１１で測定される圧力値、及び炭酸用流量計１２で測定される流量値に基づいて減圧弁１８を制御することで、治療ガス供給部４に供給される炭酸ガスの流量を適切に調整する。その結果、治療ガス供給部４の内部で患者の患部に炭酸ガスを供給することで高濃度炭酸治療を行うことができる。
【００６０】
高濃度炭酸治療が終了したら、制御装置６が炭酸供給バルブ１４、治療ガス供給バルブ１６を閉状態に戻すことにより、高圧炭酸ガス源３から治療ガス供給部４への炭酸ガスの供給を停止する。
以上の操作により、上述した高気圧外傷治療装置１を用いて高気圧酸素治療を行い、その後、高濃度炭酸治療に切り替えることができる。
【００６１】
以上説明したように、本実施形態の高気圧外傷治療装置１によれば、一端側が高圧酸素ガス源２に接続され、高圧酸素ガス源２からの酸素ガスを供給する酸素ガス供給配管Ｌ１と、一端側が高圧炭酸ガス源３に接続され、高圧炭酸ガス源３からの炭酸ガスを供給する炭酸ガス供給配管Ｌ２と、一端側が酸素ガス供給配管Ｌ１の他端側及び炭酸ガス供給配管Ｌ２の他端側とそれぞれ接続されるとともに、他端側が治療ガス供給部４に接続され、酸素ガス供給配管Ｌ１又は炭酸ガス供給配管Ｌ２から供給されるガスを治療ガス供給部４に供給する治療ガス供給配管Ｌ３と、治療ガス供給部４に供給するガスを選択する酸素供給バルブ１０及び炭酸供給バルブ１４とを有するため、高気圧酸素治療及び高濃度炭酸治療に併用することができる。これにより、治療時間の短縮や、治療装置を設置するためのスペースの節約等といった利点がある。
【００６２】
また、本実施形態の高気圧外傷治療装置１によれば、酸素ガス供給配管Ｌ１、炭酸ガス供給配管Ｌ２、及び治療ガス供給配管Ｌ３のうち、少なくとも１つの配管を分岐して設けられたパージ配管Ｌ５をさらに有するため、治療に用いるガス以外のガスが治療ガス供給部４を介して患部に供給されることを抑制することができる。
【００６３】
また、本実施形態の高気圧外傷治療装置１によれば、酸素ガス検出器１９及び炭酸ガス検出器２０をさらに有するため、酸素濃度又は炭酸濃度が設定値から外れたことを検知した場合、酸素供給バルブ１０、炭酸供給バルブ１４、治療ガス供給バルブ１６を必要に応じて閉状態とすることで、高気圧外傷治療装置１の周辺の環境が酸素欠乏状態又は酸素富化状態となることを防止することができる。
【００６４】
以上、この発明の実施形態について図面を参照して詳述してきたが、具体的な構成はこの実施形態に限られるものではなく、この発明の要旨を逸脱しない範囲の設計等も含まれる。
【００６５】
上述した高気圧外傷治療装置１では、高圧酸素ガス源２及び高圧炭酸ガス源３から供給されるガスを用いる例について説明したが、この形態に限られるものではない。例えば、酸素ガス供給配管Ｌ１及び炭酸ガス供給配管Ｌ２の少なくとも一方に、高気圧外傷治療装置１の外部に設けられた供給源から他のガスを供給する供給配管をさらに有していてもよい。これにより、装置内のガス源だけでなく、装置外のガス源も任意で選択することができる。
【００６６】
また、上述した高気圧外傷治療装置１では、筐体５の内部に高圧酸素ガス源２及び高圧炭酸ガス源３を有する例について説明したが、この形態に限られるものではない。例えば、高圧酸素ガス源２及び高圧炭酸ガス源３のいずれか一方又は両方が筐体５の外部に設けられていても良い。
【００６７】
また、上述した高気圧外傷治療装置１では、酸素ガス検出器１９及び炭酸ガス検出器２０が筐体５の側面に設けられている例について説明したが、この形態に限られるものではなく、任意の場所に設置してもよい。例えば、酸素ガス検出器１９及び炭酸ガス検出器２０を治療ガス供給部４又はその近傍に設けてもよい。これにより、患者周辺の酸素濃度及び炭酸濃度を検知することができるため、酸素欠乏状態、酸素富化状態の防止により有効である。
【００６８】
また、上述した高気圧外傷治療装置１の治療ガス供給部４は、必要に応じて患部を保温又は冷却するための機器を備えるものであってもよい。
【００６９】
また、上述した高気圧外傷治療装置１の酸素ガス供給配管Ｌ１及び炭酸ガス供給配管Ｌ２は、ガスの逆流を防ぐための逆止弁や、配管内の圧力を減圧するための減圧弁を備えるものであってもよい。
【００７０】
また、上述した高気圧外傷治療装置１の筐体５は、筐体の底部や側面等に装置を移動させるためのキャスターを備えるものであってもよい。
【産業上の利用可能性】
【００７１】
本発明の高気圧外傷治療装置は、皮膚や粘膜等の外傷・損傷を治療するための治療装置として利用可能性を有する。
【符号の説明】
【００７２】
１…高気圧外傷治療装置、２…高圧酸素ガス源、３…高圧炭酸ガス源、
４…治療ガス供給部、５…筐体、６…制御装置、７…酸素用圧力センサ、
８…酸素用流量計、９…酸素用滅菌フィルタ、１０…酸素供給バルブ、
１１…炭酸用圧力センサ、１２…炭酸用流量計、１３…炭酸用滅菌フィルタ、
１４…炭酸供給バルブ、１５…継手、１６…治療ガス供給バルブ、１７…パージバルブ、
１８…減圧弁、１９…酸素ガス検出器、２０…炭酸ガス検出器、
Ｌ１…酸素ガス供給配管、Ｌ２…炭酸ガス供給配管、Ｌ３…治療ガス供給配管、
Ｌ４…治療ガス供給ホース、Ｌ５…パージ配管（排気用配管）、Ｌ６…減圧ライン、
Ｃ１，Ｃ２，Ｃ３，Ｃ４，Ｃ５，Ｃ６，Ｃ７，Ｃ８，Ｃ９，Ｃ１０，Ｃ１１…信号線
【図１】
2017055794.tif 000003